(57)【要約】【課題】記録材に処理を施す複数のユニットが連続して接続される場合に、電力供給の効率化を図りながら記録材の処理に用いる電力が不足する事態の発生を抑制する。【解決手段】用紙処理装置は、用紙の搬送方向に沿って連続して接続される複数の装置から構成され、画像形成装置から出力された用紙を受け取って各装置において処理を施す複数の機能部と、第１の容量を有し、綴じ製本装置に設けられ各機能部に給電する第１電源と、第１の容量よりも大きい第２の容量を有し、折り装置に設けられ各機能部に給電する第２電源と、画像形成装置が実行する画像形成に関する画像形成情報を取得する取得部と、画像形成情報に基づいて、第１電源および第２電源のいずれかを選択する選択部とを備え、選択部は、画像形成情報に基づいて画像形成装置が実行する画像形成処理の生産性が予め定められた閾値を越えると判断した場合に、第２電源を選択することを特徴とする。【選択図】図５
2014113711.tif 000002
【特許請求の範囲】
【請求項１】
記録材の搬送方向に沿って連続して接続される複数のユニットから構成され、記録材に対して画像を形成する画像形成装置から出力された記録材を受け取って、各ユニットにおいて処理を施す記録材処理手段と、
第１の容量を有し、前記複数のユニットにおける第１ユニットに設けられ当該複数のユニットに給電する第１給電手段と、
前記第１の容量よりも大きい第２の容量を有し、前記複数のユニットにおける前記第１ユニットとは異なる第２ユニットに設けられ、当該複数のユニットに給電する第２給電手段と、
前記画像形成装置が実行する画像形成に関する画像形成情報を取得する取得手段と、
前記取得手段が取得した前記画像形成情報に基づいて、前記第１給電手段および前記第２給電手段のいずれかを選択する選択手段とを備え、
前記選択手段は、前記画像形成情報に基づいて、前記画像形成装置が実行する画像形成の生産性が予め定められた閾値を越えると判断した場合に、前記第２給電手段を選択することを特徴とする記録材処理装置。
【請求項２】
前記選択手段は、前記画像形成情報に基づいて画像形成の生産性が前記閾値以下であると判断した場合に、前記第１給電手段を選択することを特徴とする請求項１記載の記録材処理装置。
【請求項３】
前記第１給電手段は、前記画像形成装置から電力の供給を受けて前記複数のユニットに給電し、
前記第２給電手段は、商用電源から電力の供給を受けて前記複数のユニットに給電することを特徴とする請求項１または２記載の記録材処理装置。
【請求項４】
前記取得手段は、前記画像形成情報として、前記画像形成装置が実行する画像形成の生産性に関する生産性情報と、当該画像形成装置が画像を形成する記録材に関する記録材情報とを取得し、
前記選択手段は、前記生産性情報および前記記録材情報に基づいて、前記第１給電手段および前記第２給電手段のいずれかを選択することを特徴とする請求項１乃至３のいずれか１項記載の記録材処理装置。
【請求項５】
前記取得手段は、前記画像形成情報として、前記画像形成装置が実行する画像形成の生産性に関する生産性情報と、当該画像形成装置が実行する画像形成の内容に関する画像形成内容情報とを取得し、
前記選択手段は、前記生産性情報および前記画像形成内容情報に基づいて、前記第１給電手段および前記第２給電手段のいずれかを選択することを特徴とする請求項１または２記載の記録材処理装置。
【請求項６】
記録材の搬送方向に沿って連続して接続される複数のユニットから構成され、外部に接続された外部装置から出力された記録材を受け取って、各ユニットにおいて記録材に処理を施す記録材処理手段と、
第１の容量を有し、前記複数のユニットにおける第１ユニットに設けられ当該複数のユニットに給電する第１給電手段と、
前記第１の容量よりも大きい第２の容量を有し、前記複数のユニットにおける前記第１ユニットとは異なる第２ユニットに設けられ、当該複数のユニットに給電する第２給電手段と、
前記外部装置から記録材の出力に関する記録材出力情報を取得する取得手段と、
前記取得手段が前記外部装置から取得した前記記録材出力情報に基づいて、前記第１給電手段および前記第２給電手段のいずれかを選択する選択手段とを備え、
前記選択手段は、前記記録材出力情報に基づいて、前記外部装置から単位時間あたりに出力される記録材の枚数が予め定められた閾値を越えると判断した場合に、前記第２給電手段を選択すること
を特徴とする記録材処理装置。
【請求項７】
記録材に対して画像を形成する画像形成手段を有する画像形成装置と、
記録材の搬送方向に沿って連続して接続される複数のユニットから構成され、各ユニットにおいて前記画像形成装置から搬送される記録材に処理を施す記録材処理手段と、
第１の容量を有し、前記複数のユニットにおける第１ユニットに設けられ当該複数のユニットに給電する第１給電手段と、
前記第１の容量よりも大きい第２の容量を有し、前記複数のユニットにおける前記第１ユニットとは異なる第２ユニットに設けられ、当該複数のユニットに給電する第２給電手段と、
前記画像形成手段が実行する画像形成に関する画像形成情報を取得する取得手段と、
前記取得手段が取得した前記画像形成情報に基づいて、前記第１給電手段および前記第２給電手段のいずれかを選択する選択手段と、
前記選択手段が選択した前記第１給電手段または前記第２給電手段により前記複数のユニットに給電する制御を行う給電制御手段とを備え、
前記選択手段は、前記画像形成情報に基づいて前記画像形成手段が実行する画像形成の生産性が予め定められた閾値を越えると判断した場合に、前記第２給電手段を選択すること
を特徴とする画像形成システム。
【請求項８】
前記画像形成手段に給電する第３給電手段をさらに有し、
前記第１給電手段は、前記第３給電手段から電力の供給を受けて前記複数のユニットに給電し、
前記第２給電手段は、商用電源から電力の供給を受けて前記複数のユニットに給電することを特徴とする請求項７記載の画像形成システム。
【請求項９】
コンピュータに、
記録材の搬送方向に沿って連続して接続され記録材に処理を施す複数のユニットと、第１の容量を有し、当該複数のユニットにおける第１ユニットに設けられ当該複数のユニットに給電する第１給電手段と、当該第１の容量よりも大きい第２の容量を有し、当該複数のユニットにおける当該第１ユニットとは異なる第２ユニットに設けられ当該複数のユニットに給電する第２給電手段とを有する記録材処理装置に対して、画像形成後の記録材を出力する画像形成装置から、当該画像形成装置が実行する画像形成に関する画像形成情報を取得する機能と、
取得した前記画像形成情報に基づいて、前記第１給電手段および前記第２給電手段のいずれかを選択する機能とを実現し、
前記選択する機能は、前記画像形成情報に基づいて前記画像形成装置が実行する画像形成の生産性が予め定められた閾値を越えると判断した場合に、前記第２給電手段を選択することを特徴とするプログラム。
【発明の詳細な説明】
【技術分野】
【０００１】
本発明は、記録材処理装置、画像形成システムおよびプログラムに関する。
【背景技術】
【０００２】
従来技術として、画像形成装置から出力される用紙に、折り、綴じ、穿孔等の後処理を施す後処理装置が多段に接続された後処理システムが知られている（特許文献１参照）。
【先行技術文献】
【特許文献】
【０００３】
【特許文献１】特開２００５−８３１１号公報
【発明の概要】
【発明が解決しようとする課題】
【０００４】
本発明は、記録材に処理を施す複数のユニットが連続して接続される場合に、電力供給の効率化を図りながら記録材の処理に用いる電力が不足する事態の発生を抑制することを目的とする。
【課題を解決するための手段】
【０００５】
請求項１記載の発明は、記録材の搬送方向に沿って連続して接続される複数のユニットから構成され、記録材に対して画像を形成する画像形成装置から出力された記録材を受け取って、各ユニットにおいて処理を施す記録材処理手段と、第１の容量を有し、前記複数のユニットにおける第１ユニットに設けられ当該複数のユニットに給電する第１給電手段と、前記第１の容量よりも大きい第２の容量を有し、前記複数のユニットにおける前記第１ユニットとは異なる第２ユニットに設けられ、当該複数のユニットに給電する第２給電手段と、前記画像形成装置が実行する画像形成に関する画像形成情報を取得する取得手段と、前記取得手段が取得した前記画像形成情報に基づいて、前記第１給電手段および前記第２給電手段のいずれかを選択する選択手段とを備え、前記選択手段は、前記画像形成情報に基づいて、前記画像形成装置が実行する画像形成の生産性が予め定められた閾値を越えると判断した場合に、前記第２給電手段を選択することを特徴とする記録材処理装置である。
【０００６】
請求項２記載の発明は、前記選択手段は、前記画像形成情報に基づいて画像形成の生産性が前記閾値以下であると判断した場合に、前記第１給電手段を選択することを特徴とする請求項１記載の記録材処理装置である。
請求項３記載の発明は、前記第１給電手段は、前記画像形成装置から電力の供給を受けて前記複数のユニットに給電し、前記第２給電手段は、商用電源から電力の供給を受けて前記複数のユニットに給電することを特徴とする請求項１または２記載の記録材処理装置である。
請求項４記載の発明は、前記取得手段は、前記画像形成情報として、前記画像形成装置が実行する画像形成の生産性に関する生産性情報と、当該画像形成装置が画像を形成する記録材に関する記録材情報とを取得し、前記選択手段は、前記生産性情報および前記記録材情報に基づいて、前記第１給電手段および前記第２給電手段のいずれかを選択することを特徴とする請求項１乃至３のいずれか１項記載の記録材処理装置である。
請求項５記載の発明は、前記取得手段は、前記画像形成情報として、前記画像形成装置が実行する画像形成の生産性に関する生産性情報と、当該画像形成装置が実行する画像形成の内容に関する画像形成内容情報とを取得し、前記選択手段は、前記生産性情報および前記画像形成内容情報に基づいて、前記第１給電手段および前記第２給電手段のいずれかを選択することを特徴とする請求項１または２記載の記録材処理装置である。
【０００７】
請求項６記載の発明は、記録材の搬送方向に沿って連続して接続される複数のユニットから構成され、外部に接続された外部装置から出力された記録材を受け取って、各ユニットにおいて記録材に処理を施す記録材処理手段と、第１の容量を有し、前記複数のユニットにおける第１ユニットに設けられ当該複数のユニットに給電する第１給電手段と、前記第１の容量よりも大きい第２の容量を有し、前記複数のユニットにおける前記第１ユニットとは異なる第２ユニットに設けられ、当該複数のユニットに給電する第２給電手段と、前記外部装置から記録材の出力に関する記録材出力情報を取得する取得手段と、前記取得手段が前記外部装置から取得した前記記録材出力情報に基づいて、前記第１給電手段および前記第２給電手段のいずれかを選択する選択手段とを備え、前記選択手段は、前記記録材出力情報に基づいて、前記外部装置から単位時間あたりに出力される記録材の枚数が予め定められた閾値を越えると判断した場合に、前記第２給電手段を選択することを特徴とする記録材処理装置である。
【０００８】
請求項７記載の発明は、記録材に対して画像を形成する画像形成手段を有する画像形成装置と、記録材の搬送方向に沿って連続して接続される複数のユニットから構成され、各ユニットにおいて前記画像形成装置から搬送される記録材に処理を施す記録材処理手段と、第１の容量を有し、前記複数のユニットにおける第１ユニットに設けられ当該複数のユニットに給電する第１給電手段と、前記第１の容量よりも大きい第２の容量を有し、前記複数のユニットにおける前記第１ユニットとは異なる第２ユニットに設けられ、当該複数のユニットに給電する第２給電手段と、前記画像形成手段が実行する画像形成に関する画像形成情報を取得する取得手段と、前記取得手段が取得した前記画像形成情報に基づいて、前記第１給電手段および前記第２給電手段のいずれかを選択する選択手段と、前記選択手段が選択した前記第１給電手段または前記第２給電手段により前記複数のユニットに給電する制御を行う給電制御手段とを備え、前記選択手段は、前記画像形成情報に基づいて前記画像形成手段が実行する画像形成の生産性が予め定められた閾値を越えると判断した場合に、前記第２給電手段を選択することを特徴とする画像形成システムである。
請求項８記載の発明は、前記画像形成手段に給電する第３給電手段をさらに有し、前記第１給電手段は、前記第３給電手段から電力の供給を受けて前記複数のユニットに給電し、前記第２給電手段は、商用電源から電力の供給を受けて前記複数のユニットに給電することを特徴とする請求項７記載の画像形成システムである。
【０００９】
請求項９記載の発明は、コンピュータに、記録材の搬送方向に沿って連続して接続され記録材に処理を施す複数のユニットと、第１の容量を有し、当該複数のユニットにおける第１ユニットに設けられ当該複数のユニットに給電する第１給電手段と、当該第１の容量よりも大きい第２の容量を有し、当該複数のユニットにおける当該第１ユニットとは異なる第２ユニットに設けられ当該複数のユニットに給電する第２給電手段とを有する記録材処理装置に対して、画像形成後の記録材を出力する画像形成装置から、当該画像形成装置が実行する画像形成に関する画像形成情報を取得する機能と、取得した前記画像形成情報に基づいて、前記第１給電手段および前記第２給電手段のいずれかを選択する機能とを実現し、前記選択する機能は、前記画像形成情報に基づいて前記画像形成装置が実行する画像形成の生産性が予め定められた閾値を越えると判断した場合に、前記第２給電手段を選択することを特徴とするプログラムである。
【発明の効果】
【００１０】
請求項１記載の発明によれば、電力供給の効率化を図りながら記録材の処理に用いる電力が不足する事態の発生を抑制することが可能になる。
請求項２記載の発明によれば、本構成を採用しない場合と比較して、電力の利用効率の低下を抑制することが可能になる。
請求項３記載の発明によれば、本構成を採用しない場合と比較して、電力の利用効率の低下を抑制することが可能になる。
請求項４記載の発明によれば、本構成を採用しない場合と比較して、記録材処理装置での電力負担に応じた給電手段を選択することが可能になる。
請求項５記載の発明によれば、本構成を採用しない場合と比較して、記録材処理装置での電力負担に応じた給電手段を選択することが可能になる。
請求項６記載の発明によれば、電力供給の効率化を図りながら記録材の処理に用いる電力が不足する事態の発生を抑制することが可能になる。
請求項７記載の発明によれば、電力供給の効率化を図りながら記録材の処理に用いる電力が不足する事態の発生を抑制することが可能になる。
請求項８記載の発明によれば、本構成を採用しない場合と比較して、電力の利用効率の低下を抑制することが可能になる。
請求項９記載の発明によれば、電力供給の効率化を図りながら記録材の処理に用いる電力が不足する事態の発生を抑制することが可能になる。
【図面の簡単な説明】
【００１１】
【図１】本実施の形態が適用される画像形成システムの全体構成を示した図である。
【図２】本実施の形態が適用される用紙処理装置の構成を示した図である。
【図３】本実施の形態が適用される画像形成システムの機能構成を示した機能ブロック図である。
【図４】本実施の形態が適用される用紙処理制御部の構成を示した機能ブロック図である。
【図５】本実施の形態が適用される用紙処理制御部が実行する制御について示したフローチャートである。
【図６】第１電源または第２電源を選択するためのテーブルである。
【図７】実施の形態２が適用される用紙処理制御部が実行する制御について示したフローチャートである。
【発明を実施するための形態】
【００１２】
［実施の形態１］
以下、添付図面を参照して、本発明を実施するための形態について詳細に説明する。
図１は、本実施の形態が適用される画像形成システム１の全体構成を示した図である。図１に示す画像形成システム１は、例えば電子写真方式によってカラー画像を形成するプリンタや複写機等の外部装置の一例としての画像形成装置２と、画像形成装置２によって例えばトナー像が形成された用紙（シート）に対して後処理を施す記録材処理装置の一例としての用紙処理装置３とを備えている。
【００１３】
画像形成装置２は、例えば所謂タンデム方式で構成され、印刷ジョブに応じて用紙に画像を形成する画像形成部４と、ユーザから印刷ジョブの実行等の操作入力を受け付ける操作入力部５と、画像形成装置２の動作および画像形成システム１全体の動作を制御する主制御部６とを備えている。さらに、画像形成装置２は、商用電源から供給される電力を予め定められた電圧に変換して画像形成装置２の各部へと供給する第３給電手段の一例としての主電源７を備えている。
【００１４】
図２は、本実施の形態が適用される用紙処理装置３の構成を示した図である。
用紙処理装置３は、図１および図２に示すように、画像形成装置２から出力された用紙をさらに下流側に搬送する搬送機能部２００を有する搬送装置２０と、搬送装置２０から搬送された用紙に対して内三折り（Ｃ折り）や外三折り（Ｚ折り）等の折り処理を施す折り機能部３００を有する折り装置３０と、折り装置３０の下流側に設けられて折り装置３０から搬送された用紙に対して穴あけ処理を施す穿孔機能部４００を有する穿孔装置４０と、穿孔装置４０の下流側に設けられて用紙に端綴じ処理を施す端綴じ機能部５１０および製本処理を施す製本機能部５２０を有する綴じ製本装置５０とを備えている。また、用紙処理装置３は、折り装置３０を搬送される用紙に対して厚紙や窓空き用紙等の合紙を挿入する挿入機能部６００を有する挿入装置６０と、綴じ製本装置５０から搬送された用紙を複数のトレイに仕分けして排出する仕分け機能部７００を有する仕分け装置７０とを備えている。
【００１５】
また、用紙処理装置３は、用紙処理装置３の全体を制御する用紙処理制御部１００を有している。この例では、用紙処理制御部１００は、綴じ製本装置５０に設けられている。
さらに、用紙処理装置３は、用紙処理制御部１００を介して、用紙処理装置３の各機能部（搬送機能部２００、折り機能部３００、穿孔機能部４００、端綴じ機能部５１０、製本機能部５２０、挿入機能部６００および仕分け機能部７００）に電力を供給するための第１給電手段の一例としての第１電源１１０および第２給電手段の一例としての第２電源１２０を備えている。この例では、第１電源１１０は、第１ユニットの一例としての綴じ製本装置５０に設けられ、第２ユニットの一例としての第２電源１２０は、折り装置３０に設けられている。
【００１６】
ここで、本実施の形態の画像形成システム１の用紙処理装置３では、搬送装置２０、折り装置３０および穿孔装置４０において用紙が排出される排出口の高さが等しく設定されている。また、用紙処理装置３では、折り装置３０、穿孔装置４０および綴じ製本装置５０において用紙が挿入される挿入口の高さが等しく設定されている。さらに、用紙処理装置３では、搬送装置２０、折り装置３０および穿孔装置４０の排出口の高さと、折り装置３０、穿孔装置４０および綴じ製本装置５０の挿入口の高さが等しく設定されている。そして、本実施の形態の用紙処理装置３では、搬送装置２０、折り装置３０、穿孔装置４０および綴じ製本装置５０は、用紙搬送のための共通のインターフェースを備えている。
さらにまた、本実施の形態の用紙処理装置３では、搬送装置２０、折り装置３０、穿孔装置４０および綴じ製本装置５０は、電気的接続および機械的接続のための共通のインターフェースを備えている。
これにより、本実施の形態の用紙処理装置３では、各装置（折り装置３０、穿孔装置４０および綴じ製本装置５０）の接続順序を変更したり、接続する装置の組み合わせを変更したりすることが可能となっている。
【００１７】
また、本実施の形態の画像形成システム１では、搬送装置２０と用紙搬送、電気的接続および機械的接続のための共通のインターフェースを有する画像形成装置２であれば、用紙処理装置３に対して、異なる種類（機種）の画像形成装置２を取り付けることが可能となっている。さらに、画像形成装置２の種類に対応させて用紙処理装置３の搬送装置２０の種類を変更することによっても、用紙処理装置３に対して異なる種類の画像形成装置２を取り付けることが可能となっている。
【００１８】
＜綴じ製本装置の説明＞
続いて、本実施の形態の綴じ製本装置５０の構成について説明する。
綴じ製本装置５０は、上述したように、用紙束の端を綴じるための端綴じ機能部５１０と、用紙束を中折り／中綴じして見開き状の冊子を作製する製本機能部５２０とを備えている。また、綴じ製本装置５０は、穿孔装置４０から搬送された用紙を受け入れる搬入口５３と、綴じ製本装置５０にて処理が施された用紙を収容する収容トレイ５４〜５６を備えている。
【００１９】
＜端綴じ機能部の説明＞
続いて、綴じ製本装置５０が備える端綴じ機能部５１０について説明する。
端綴じ機能部５１０は、図２に示すように、画像形成後の用紙を必要枚数だけ集積させる用紙集積部５１１と、用紙を用紙集積部５１１に向けて排出する排出ロール５１２と、排出ロール５１２により排出された用紙を用紙集積部５１１に案内する案内ロール５１３を備えている。
また、端綴じ機能部５１０は、用紙集積部５１１に集積される用紙を幅方向に揃えるためにスライド移動する一対の整合板からなる用紙幅揃え部材５１４と、用紙集積部５１１に集積された用紙束を端綴じする端綴じステープラ５１５とを備えている。
【００２０】
綴じ製本装置５０において用紙束に対して端綴じ処理を行う場合には、用紙処理制御部１００からの指示に基づき、搬送装置２０、折り装置３０および穿孔装置４０を経由して搬送されてきた用紙が、端綴じ機能部５１０に送られる。そして、端綴じ機能部５１０の排出ロール５１２が、搬送されてくる用紙を用紙集積部５１１に送り出すとともに、案内ロール５１３が、送り出された用紙を用紙集積部５１１に案内する。これにより、例えば、５枚、１０枚、１５枚等、例えば画像形成装置２の主制御部６（図１参照）にて設定された枚数が、用紙集積部５２１に集積される。このとき、用紙幅揃え部材５１４は、用紙集積部５１１に集積される用紙の幅方向にスライド移動して、集積された用紙に対して幅方向から用紙揃えを行う。
次いで、端綴じステープラ５１５が、用紙集積部５１１に予め定められた枚数が集積された用紙束に対して予め定められた綴じ位置まで移動して、用紙束に対する端綴じを実行する。
そして、端綴じが施された用紙束は、その後、収容トレイ５５に排出される。
【００２１】
＜製本機能部の説明＞
続いて、綴じ製本装置５０が備える製本機能部５２０について説明する。
製本機能部５２０は、図２に示すように、画像形成後の用紙を必要枚数だけ集積させる用紙集積部５２１と、用紙を用紙集積部５２１に排出する排出ロール５２２と、中綴じ位置や中折り位置を決定するために用紙集積部５２１に沿って移動するエンドガイド５２３とを備えている。また、製本機能部５２０は、用紙集積部５２１上に集積される用紙をエンドガイド５２３に向けて搬送する複数の用紙揃え部材５２４を備えている。
【００２２】
また、製本機能部５２０は、用紙集積部５２１上に集積される用紙を幅方向に備えるためにスライド移動する一対の整合板からなる用紙幅揃え部材５２５と、用紙集積部５２１に集積された用紙束を中綴じする中綴じステープラ５２６とを備えている。さらに、製本機能部５２０は、中綴じステープラ５２６により中綴じされた用紙束を中綴じ位置で折るために用紙集積部５２１の下方から上方に向けて突出するように移動する折りナイフ５２７と、折りナイフ５２７によって折りが開始された用紙束を挟み込む一対のロールからなる折りロール５２８とを備えている。なお、用紙集積部５２１のうち折りナイフ５２７に対向する部分には開口（図示せず）が設けられている。
【００２３】
綴じ製本装置５０において中折り／中綴じされた冊子を作製する場合には、用紙処理制御部１００からの指示に基づき、搬送装置２０、折り装置３０および穿孔装置４０を経由して搬送されてきた用紙が、製本機能部５２０に送られる。そして、製本機能部５２０の排出ロール５２２は、搬送されてくる用紙を用紙集積部５２１に送り出す。これにより、例えば、５枚、１０枚、１５枚等、画像形成装置２の主制御部６（図１参照）にて設定された枚数が、用紙集積部５２１に集積される。この時、エンドガイド５２３は、例えば、用紙の搬送方向中央部が中綴じステープラ５２６によるステープル位置に対応するように移動して停止している。さらにこのとき、用紙揃え部材５２４は、回転し、集積される用紙をエンドガイド５２３に押し当てて、用紙揃え補助をしている。また、用紙幅揃え部材５２５は、用紙集積部５２１に集積される用紙の幅方向にスライド移動して、集積された用紙に対して幅方向から用紙揃えを行う。
【００２４】
用紙集積部５２１に予め定められた枚数の用紙が集積された後、中綴じステープラ５２６によって、用紙の一部（例えば搬送方向中央部分）に対する中綴じが実行される。
次いで、中綴じを終えた用紙束は、エンドガイド５２３の上方への動きによって、折り部分（例えば用紙の搬送方向中央部分）が折りナイフ５２７の先端位置と一致するように、移動される。なお、折りナイフ５２７は、用紙集積部５２１への用紙集積段階や、中綴じステープラ５２６による中綴じ段階、または中綴じ後の用紙搬送段階では、その先端が用紙集積部５２１の下方に退避するように構成されている。
【００２５】
用紙束の折り位置が折りナイフ５２７の先端位置まで移動した後、折りナイフ５２７は、不図示のＤＣモータによって、下方から上方に向けて押し出される。すなわち、折りナイフ５２７の先端が、折りナイフ５２７に対向する位置に開口が設けられた用紙集積部５２１の収容面に直交する方向に沿って、下方から上方に向けて用紙束を押圧する。さらに、折りナイフ５２７の先端は、用紙集積部５２１の開口の上方向側に押し出され、これにより用紙束は、用紙集積部５２１の収容面から押し上げられて、折りロール５２８に挟み込まれる。この場合、折りナイフ５２７は、用紙束が折りロール５２８に食い込む位置まで移動する。
これにより、用紙集積部５２１に集積された予め定められた枚数の用紙は、折りナイフ５２７に押されるとともに折りロール５２８に挟み込まれることで、中折り処理が施される。
【００２６】
このようにして、中綴じステープラ５２６による中綴じと、折りナイフ５２７および折りロール５２８による中折りとが施され、製本化された用紙束（冊子）は、その後、収容トレイ５４に排出される。
【００２７】
＜画像形成システムの機能ブロックの説明＞
続いて、画像形成システム１の機能構成について説明する。図３は、本実施の形態が適用される画像形成システム１の機能構成を示した機能ブロック図である。図３に示すように、本実施の形態の画像形成システム１では、画像形成装置２に設けられた主制御部６から、用紙処理装置３の綴じ製本装置５０に設けられた用紙処理制御部１００に、用紙に対して施す処理に関する情報（処理情報）および画像形成装置２にて実行される画像形成に関する情報（画像形成情報）等を出力し、これに基づいて用紙処理制御部１００が用紙処理装置３内に設けられた各機能部（搬送機能部２００、折り機能部３００、穿孔機能部４００、端綴じ機能部５１０、製本機能部５２０、挿入機能部６００および仕分け機能部７００）を制御するようになっている。
なお、主制御部６および用紙処理制御部１００は、それぞれ、各種演算処理を行うＣＰＵ（Central Processing Unit）、ＣＰＵにて実行されるプログラムや各種データ等が記憶されたＲＯＭ（Read Only Memory）およびＣＰＵの作業用メモリとして用いられるＲＡＭ（Random Access Memory）を備えている。
【００２８】
まず、画像形成装置２においては、操作入力部５を介して受け付けた印刷ジョブの内容に応じて、画像形成部４にて実行する画像形成処理に関する情報（画像形成情報）および用紙処理装置３にて用紙に対して施す処理に関する情報（処理情報）等が、主制御部６に入力される。そして、主制御部６は、入力された画像形成情報に基づいて、画像形成部４を制御して用紙に対して画像を形成する。また、主制御部６は、入力された処理情報および画像形成情報を、用紙処理装置３の用紙処理制御部１００に出力する。画像形成情報としては、例えば、画像形成装置２にて実行される画像形成処理の生産性に関する情報（生産性情報）や画像形成装置２にて画像形成処理がなされた用紙の出力に関する情報（記録材出力情報）等が挙げられる。ここで、画像形成処理の生産性とは、例えば単位時間あたりに画像形成装置２にて画像形成がなされる用紙の枚数を表す。
なお、操作入力部５にて複数の印刷ジョブの入力がなされた場合には、画像形成装置２においてそれぞれの印刷ジョブに対応する画像形成情報及び処理情報が主制御部６に入力される。そして、主制御部６は、画像形成部４を制御して、入力された画像形成情報に基づいて、それぞれの印刷ジョブを順次実行する。
【００２９】
また、画像形成装置２においては、主電源７は、商用電源から例えば１００Ｖの電力供給を受け、供給された電力を予め定められた電圧（例えば、２４Ｖ、５Ｖ）に変換して主制御部６に供給するとともに、商用電源から供給された電力を用紙処理装置３の第１電源１１０に供給する。そして、主制御部６は、主電源７から供給された電力を画像形成部４および操作入力部５に供給する。
【００３０】
用紙処理装置３においては、画像形成装置２の主制御部６から出力された処理情報および画像形成情報が用紙処理制御部１００に入力される。そして、用紙処理制御部１００は、入力された処理情報に基づいて、用紙処理装置３に設けられた各機能部（搬送機能部２００、折り機能部３００、穿孔機能部４００、端綴じ機能部５１０、製本機能部５２０、挿入機能部６００および仕分け機能部７００）の動作を制御する。
なお、操作入力部５にて複数の印刷ジョブの入力がなされた場合には、画像形成情報およびそれぞれの印刷ジョブに対応する処理情報が用紙処理制御部１００に入力される。そして、用紙処理制御部１００は、用紙処理装置３の各機能部を制御して、入力された処理情報に基づいて、それぞれの印刷ジョブにおける用紙処理を順次実行する。
【００３１】
また、用紙処理装置３においては、第１電源１１０に、画像形成装置２の主電源７から電力が供給される。そして、第１電源１１０は、主電源７から供給された電力を予め定められた電圧に変換して用紙処理制御部１００に供給する。さらに、用紙処理装置３では、第２電源１２０は、商用電源から電力供給を受け、供給された電力を予め定められた電圧に変換して用紙処理制御部１００に供給する。
そして、本実施の形態では、用紙処理制御部１００は、第１電源１１０および第２電源１２０により供給された電力を、主制御部６から入力された処理情報および画像形成情報に基づいて、搬送機能部２００、折り機能部３００、穿孔機能部４００、端綴じ機能部５１０、製本機能部５２０、挿入機能部６００および仕分け機能部７００に供給している。
【００３２】
ここで、本実施の形態の用紙処理装置３では、第１電源１１０の電源容量（第１の容量）と比較して、第２電源１２０の電源容量（第２の容量）が大きく設定されている。
本実施の形態の用紙処理装置３では、上述したように、第１電源１１０は、画像形成装置２の主電源７から電力供給を受けている。そして、主電源７は、画像形成装置２の主制御部６と用紙処理装置３の第１電源１１０との双方に電力を供給しているため、主電源７から第１電源１１０へ供給される電力量には上限がある。すなわち、第１電源１１０は、予め定められた上限量以上の電力供給を受けることができない。
これに対し、第２電源１２０は、商用電源から直接電力の供給を受けるため、上述したように、第２電源１２０の電源容量を第１電源１１０の電源容量よりも大きくすることが可能となっている。
なお、この例では、第１電源１１０が供給可能な電力（電流値）は、定格５Ａ、ピーク９Ａであり、第２電源１２０が供給可能な電力（電流値）は、定格１０Ａ、ピーク１６Ａとなっている。
【００３３】
本実施の形態の用紙処理装置３では、通常、用紙処理制御部１００を介して用紙処理装置３の各機能部に電力を供給する手段として、第１電源１１０を選択している。
ここで、一般に容量が大きい電源では、容量が小さい電源と比較して、電源自身で消費する電力量が大きくなる傾向がある。また、電源が供給する電力量に対して電源が有する容量が過度に大きい場合には、電源容量が小さい場合と比較して、電力の変換効率が低下する場合がある。
したがって、本実施の形態の用紙処理装置３では、通常、第２電源１２０よりも電源容量が小さい第１電源１１０によって用紙処理装置３の各機能部に電力を供給することで、第２電源１２０により電力を供給する場合と比較して、電力の利用効率の低下を抑制している。
【００３４】
＜用紙処理制御部の説明＞
続いて、用紙処理装置３における用紙処理制御部１００の詳細な機能構成について説明する。図４は、本実施の形態が適用される用紙処理制御部１００の構成を示した機能ブロック図である。
図４に示すように、用紙処理制御部１００は、主制御部６（図３参照）から出力された用紙に対して施す処理に関する情報（処理情報）および画像形成装置２にて用紙に対して施す画像形成に関する情報（画像形成情報）を取得する取得手段の一例としての取得部１０１と、取得部１０１が取得した処理情報および画像形成情報に基づいて、用紙処理制御部１００を介して用紙処理装置３の各機能部に電力を供給する手段として第１電源１１０または第２電源１２０を選択する選択手段の一例としての選択部１０２と、選択部１０２からの指示に基づき、記憶している情報を選択部１０２に出力する記憶部１０３と、選択部１０２にてなされた選択に基づいて用紙処理装置３の各機能部（搬送機能部２００、折り機能部３００、穿孔機能部４００、端綴じ機能部５１０、製本機能部５２０、挿入機能部６００および仕分け機能部７００；図３参照）に電力を供給する電力制御部１０４とを備えている。また、電力制御部１０４は、選択部１０２にてなされた選択に基づいて用紙処理装置３の各機能部に電力を供給する手段として、第１電源１１０と第２電源１２０とを切り替える切替部１０５を有している。
さらに、用紙処理制御部１００は、取得部１０１が取得した処理情報に基づいて、用紙処理装置３の各機能部に用紙処理に関する指示を出力する処理指示部１０６を有している。
【００３５】
本実施の形態の用紙処理制御部１００では、上述したように、選択部１０２は、通常、用紙処理装置３の各機能部に電力を供給する手段として第１電源１１０を選択し、電力制御部１０４は、第１電源１１０から供給された電力を各機能部に供給している。
そして、用紙処理装置３の各機能部は、用紙処理制御部１００の電力制御部１０４を介して供給された電力を用い、用紙処理制御部１００の処理指示部１０６から出力された指示に基づいて、搬送される用紙に対して処理を施す。
【００３６】
ところで、本実施の形態の画像形成システム１では、上述したように、用紙処理装置３に対して異なる種類（機種）の画像形成装置２を接続することが可能となっている。そして、画像形成装置２は、その機種によって性能が異なる場合があり、用紙処理装置３に接続される画像形成装置２の機種によって、画像形成装置２にて実行される画像形成処理の生産性が異なる場合がある。
また、画像形成装置２の画像形成部４にて実行される画像形成処理の内容・条件等によっても、画像形成処理の生産性が変化する場合がある。
【００３７】
画像形成装置２の機種や画像形成装置２にて実行される画像形成処理の条件等によって、画像形成装置２にて実行される画像形成処理の生産性が高い場合には、画像形成処理の生産性が低い場合と比較して、画像形成部４にて画像形成処理に要する電力が大きくなりやすい。
ここで、上述したように、本実施の形態の画像形成システム１では、用紙処理装置３の第１電源１１０は画像形成装置２の主電源７から電力供給を受けている。したがって、画像形成装置２にて実行される画像形成処理の生産性が高くなり、画像形成装置２の画像形成部４等で要する電力が大きくなった場合には、主電源７から第１電源１１０へと供給される電力量が少なくなる場合がある。
【００３８】
また、画像形成装置２にて実行される画像形成処理の生産性が高い場合には、画像形成装置２から用紙処理装置３に対して単位時間あたりに出力される用紙の枚数が多くなり、画像形成装置２から用紙処理装置３に対して出力される用紙の搬送速度が高くなる傾向がある。
ここで、画像形成システム１における処理の生産性の低下を抑制するためには、用紙処理装置３において、画像形成装置２から出力された用紙の搬送速度を維持した状態で用紙を搬送することが好ましい。したがって、画像形成装置２にて実行される画像形成処理の生産性が高くなり、画像形成装置２から出力される用紙の搬送速度が高くなった場合には、それに伴って、用紙処理装置３における用紙の搬送速度を高くすることが好ましい。
【００３９】
一般に、用紙処理装置３において搬送する用紙の搬送速度が高い場合には、搬送速度が低い場合と比較して、用紙処理装置３を構成する各装置にて搬送に要する電力が大きくなる。
したがって、画像形成装置２にて実行される画像形成処理の生産性が高い場合には、用紙処理装置３において、画像形成装置２から出力された用紙を搬送するために要する電力が大きくなる傾向がある。特に、厚紙等の重い用紙を搬送する場合では、搬送に要する電力が大きくなりやすい。
【００４０】
また、画像形成装置２から出力され、用紙処理装置３の各装置を搬送される用紙に対して、各機能部（折り機能部３００、穿孔機能部４００、端綴じ機能部５１０、製本機能部５２０、挿入機能部６００、仕分け機能部７００）によって処理を施す場合には、用紙処理装置３にて用紙を搬送するための電力に加えて、各機能部にて処理を施すための電力が必要となる。
【００４１】
ここで、上述したように画像形成装置２にて実行される画像形成処理の生産性が高い場合には、用紙処理装置３にて搬送する用紙の搬送速度が高くなりやすい。このような場合に、用紙の搬送速度の低下を抑制しながら搬送される用紙に対して処理を施すためには、用紙の搬送速度に合わせて用紙処理装置３の各機能部の動作を速くする必要がある。
そして、用紙処理装置３を構成する各装置（折り装置３０、穿孔装置４０、綴じ製本装置５０、挿入装置６０、仕分け装置７０）において各機能部の動作を速くするためには、各機能部にて要する電力が大きくなりやすい。
【００４２】
ここで、画像形成装置２にて実行される画像形成処理の生産性が高く、用紙処理装置３にて搬送する用紙の搬送速度が高い場合には、搬送される複数の用紙同士の間隔が小さくなる。このような場合に、用紙処理装置３における処理の生産性の低下を抑制するためには、処理を行う機能部において複数の動作を並行して行うことが好ましい。
例えば、綴じ製本装置５０にて端綴じ処理を実行する場合には、端綴じ機能部５１０における端綴じ処理の生産性の低下を抑制するために、用紙幅揃え部材５１４における用紙の揃え動作と、端綴じステープラ５１５の移動とを並行して行うことが好ましい。
【００４３】
しかし、このように端綴じ機能部５１０において用紙幅揃え部材５１４における用紙揃え動作と、端綴じステープラ５１５の移動とを並行して行う場合には、用紙幅揃え部材５１４と端綴じステープラ５１５との双方を駆動するための電力が必要となり、端綴じ機能部５１０において端綴じ処理に要する電力が大きくなる傾向がある。
【００４４】
ところで、画像形成システム１では、例えば画像形成装置２の操作入力部５にて、複数の印刷ジョブを実行する旨の指示が入力される場合がある。このような場合には、用紙処理装置３では、画像形成装置２においてそれぞれの印刷ジョブに対応する画像形成処理がなされた用紙に対して、用紙処理装置３の対応する機能部においてそれぞれの印刷ジョブの用紙処理を順次実行する。
ここで、複数の印刷ジョブに対応するそれぞれの用紙処理が、用紙処理装置３における異なる機能部にて実行される処理である場合には、画像形成システム１（用紙処理装置３）における処理の生産性の低下を抑制するために、それぞれの用紙処理をそれぞれの機能部にて実行することで、複数の用紙処理を並行して行うことが好ましい。
【００４５】
例えば、複数枚の用紙に対して画像形成処理を施した後、この用紙を集積して製本処理（中折り／中綴じ処理）を施す第１印刷ジョブと、複数枚の用紙に対して画像形成処理を施した後、この用紙を集積して端綴じ処理を施す第２印刷ジョブとを実行する旨の指示が入力される場合がある。
この場合に、用紙処理装置３では、画像形成装置２にて第１印刷ジョブに対応する画像形成処理がなされ画像形成装置２から出力された用紙を、綴じ製本装置５０の製本機能部５２０に搬送する。そして、製本機能部５２０にて、搬送されてくる用紙を用紙集積部５２１に集積するとともに、用紙揃え部材５２４および用紙幅揃え部材５２５によって用紙揃えを行う。次いで、中綴じステープラ５２６によって、用紙に対して中綴じ処理を実行した後、折りナイフ５２７によって、用紙に対して中折り処理を実行する。
また、用紙処理装置３では、画像形成装置２にて第２印刷ジョブに対応する画像形成処理がなされ画像形成装置２から出力された用紙を、綴じ製本装置５０の端綴じ機能部５１０に搬送する。そして、端綴じ機能部５１０にて、搬送されてくる用紙を用紙集積部５１１に集積するとともに、用紙幅揃え部材５１４により用紙揃えを行う。次いで、端綴じステープラ５１５が用紙に対して予め定められた位置に移動して、端綴じ処理を実行する。
【００４６】
ここで、用紙処理装置３における生産性の低下を抑制するために、例えば、製本機能部５２０において、第１印刷ジョブに対応する用紙に対して中綴じステープラ５２６によって中綴じ処理を実行している間に、第２印刷ジョブに対応する用紙を端綴じ機能部５１０に搬送し、用紙幅揃え部材５１４による用紙揃えを実行することが好ましい。すなわち、用紙処理装置３における生産性の低下を抑制するために、製本機能部５２０における製本処理と端綴じ機能部５１０における端綴じ処理とを並行して行うことが好ましい。
【００４７】
そして、複数の用紙処理をそれぞれの処理に対応する機能部にて並行して実行する場合には、用紙処理装置３において、用紙を搬送するための電力に加えて並行して動作する複数の機能部にて用紙処理を施すための電力が必要となる。上述した例では、例えば、端綴じ機能部５１０にて端綴じ処理を施すための電力と、製本機能部５２０にて製本処理を施すための電力とを合わせた電力が必要となる。
すなわち、画像形成装置２にて実行される画像形成処理の生産性が高く、さらに、用紙処理装置３における異なる機能部にて実行される用紙処理を含む複数の印刷ジョブを実行する旨の指示がなされた場合には、用紙処理装置３において用紙処理に要する電力が大きくなりやすい。
【００４８】
以上説明したように、画像形成装置２にて実行される画像形成処理の生産性が高い場合には、用紙処理装置３にて消費する電力が大きくなる傾向がある。
また、本実施の形態の用紙処理装置３では、上述したように、通常、第１電源１１０からの電力を各機能部に供給し用紙に対して処理を施している。そして、本実施の形態においては、第１電源１１０は画像形成装置２の主電源７から電力の供給を受けており、主電源７から供給される電力には上限があるため、第１電源１１０の電源容量は第２電源１２０の電源容量と比較して小さくなっている。さらに、上述したように、画像形成装置２にて実行される画像形成処理の生産性が高い場合には、第１電源１１０が主電源７から供給することができる電力が少なくなる場合がある。
したがって、画像形成装置２にて実行される画像形成処理の生産性が高い場合には、用紙処理装置３の各機能部において第１電源１１０から供給される電力量では電力が不足し、用紙に対して処理を施すことができない場合がある。
【００４９】
画像形成装置２の生産性が高く用紙処理装置３において消費する電力量が大きくなった場合に、第１電源１１０から供給される電力では、用紙処理装置３において用紙の搬送や用紙に対する処理を実行するための電力が不足する場合がある。
用紙処理装置３において電力が不足する場合には、上述したように、用紙処理を行う機能部において複数の動作を並行して行うこと（例えば端綴じ機能部５１０において用紙幅揃え部材５１４による用紙揃え動作と端綴じステープラ５１５の移動とを並行して行うこと）ができない場合がある。
さらに、用紙処理装置３において電力が不足する場合には、例えば、複数の印刷ジョブに対応するそれぞれの用紙処理が、用紙処理装置３における異なる機能部にて実行される処理である場合であっても、これらの複数の用紙処理を並行して行うことができない場合がある。
【００５０】
そして、第１電源１１０から供給される電力で用紙の搬送や用紙に対する処理を実行するために、例えば、用紙処理装置３における用紙の搬送速度を遅くしたり、用紙の搬送を一旦停止する等して搬送される用紙同士の間隔を広くしたりする場合がある。これにより、用紙の搬送に要する電力を低下させ、また、各機能部で搬送される用紙に対して処理を施す際に要する電力を低下させる。
しかし、このように、用紙処理装置３における用紙の搬送速度を遅くしたり、搬送される用紙同士の間隔を広くしたりした場合には、用紙処理装置３（画像形成システム１）における処理の生産性が低下する場合がある。
【００５１】
そこで、本実施の形態の用紙処理装置３では、画像形成装置２の主制御部６から入力された画像形成情報に基づいて、用紙処理装置３に接続される画像形成装置２において実行される画像形成処理の生産性が予め定められた閾値よりも大きいと判断した場合に、用紙処理装置３の用紙処理制御部１００によって、用紙処理装置３の各機能部に電力を供給する手段を、第１電源１１０から第１電源１１０よりも大きな電源容量を有する第２電源１２０に切り替えている。これにより、画像形成システム１における処理の生産性の低下を抑制しつつ、用紙処理装置３において処理に要する電力が不足するのを抑制している。
【００５２】
＜用紙処理制御部が実行する制御についての説明＞
続いて、用紙処理装置３の用紙処理制御部１００が実行する制御について説明する。
図５は、本実施の形態が適用される用紙処理制御部１００が実行する制御について示したフローチャートである。
図５に示すように、画像形成装置２の操作入力部５を介して用紙に対して処理を施す指示がなされた場合には、まず、取得部１０１が画像形成装置２の主制御部６から出力された用紙に対して実行する処理に関する情報（処理情報）および画像形成装置２にて実行される画像形成処理の生産性に関する情報（生産性情報）を取得する（ステップ１０１）。
この例では、取得部１０１は、生産性情報として、画像形成装置２にて単位時間あたりに画像形成処理がなされる用紙の枚数を取得するものとする。
【００５３】
続いて、選択部１０２が、ステップ１０１にて取得部１０１が取得した生産性情報に基づいて、画像形成装置２にて実行される画像形成処理の生産性を、記憶部１０３に記憶された予め定められた閾値と比較する（ステップ１０２）。この例では、画像形成装置２にて実行される画像形成処理の生産性と、８５ｐｐｍ（Page Per Minute）とを比較する。
【００５４】
そして、ステップ１０２において、画像形成装置２にて実行される画像形成処理の生産性が、予め定められた閾値（８５ｐｐｍ）以下であると判断した場合（ステップ１０２にてＮＯ）には、選択部１０２は、用紙処理装置３の各機能部に電力を供給する手段として、第１電源１１０を選択する（ステップ１０３）。
次いで、処理指示部１０６が、取得部１０１が取得した処理情報に基づいて、各機能部に処理を実行させる（ステップ１０４）。このとき、各機能部にて実行する処理に要する電力は、電力制御部１０４を介して第１電源１１０により供給する。なお、上述したように、本実施の形態では、通常、用紙処理装置３の各機能部に電力を供給する手段として第１電源１１０が設定されているため、電源を切り替える必要はない。
【００５５】
一方、ステップ１０２において、画像形成装置２にて実行される画像形成処理の生産性が、予め定められた閾値（８５ｐｐｍ）を超えると判断した場合（ステップ１０２にてＹＥＳ）には、選択部１０２は、用紙処理装置３の各機能部に電力を供給する手段として、第２電源１２０を選択する（ステップ１０５）。
【００５６】
次に、電力制御部１０４の切替部１０５が、用紙処理装置３の各機能部に電力を供給する手段を、第１電源１１０から第２電源１２０へと切り替える（ステップ１０６）。
ステップ１０５にて用紙処理装置３の各機能部に電力を供給する手段が第２電源１２０へと切り替えられた後、続いて、処理指示部１０６が、取得部１０１が取得した処理情報に基づいて、各機能部に処理を実行させる（ステップ１０７）。このとき、各機能部にて実行する処理に要する電力は、電力制御部１０４を介して第２電源１２０により供給する。
ステップ１０７にて用紙に対する処理の実行が終了した後、続いて、電力制御部１０４の切替部１０５が、用紙処理装置３の各機能部に電力を供給する手段を、第２電源１２０から第１電源１１０へと切り替える（ステップ１０８）。
以上により、用紙処理装置３の用紙処理制御部１００が実行する制御が終了する。
【００５７】
以上説明したように、本実施の形態の用紙処理装置３では、主制御部６から入力された画像形成装置２にて実行される画像形成処理の生産性に関する情報（生産性情報）に基づいて、用紙処理装置３が備える各機能部において第１電源１１０から供給される電力では電力が不足するような場合に、用紙処理装置３の各機能部に電力を供給する手段を、第１電源１１０から第１電源１１０よりも大きな電源容量を有する第２電源１２０に切り替えている。
これにより、本構成を採用しない場合と比較して、用紙処理装置３の各機能部に供給する電力量を多くすることが可能になり、画像形成装置２にて実行される画像形成処理の生産性が高く、用紙処理装置３にて消費する電力が大きい場合であっても、用紙処理装置３の各機能部において用紙に対する処理を実行することが可能になる。
【００５８】
特に、用紙処理装置３のそれぞれの機能部にて複数の動作を並行して行う（例えば、端綴じ機能部で用紙幅揃え部材５１４による用紙揃え動作と端綴じステープラ５１５の移動とを並行して行う）ことが可能になり、画像形成装置２にて実行される画像形成処理の生産性が高い場合に、用紙処理装置３における用紙処理の生産性が低下するのを抑制することが可能になる。
【００５９】
また、複数の印刷ジョブの実行が入力され、それぞれの印刷ジョブに対応するそれぞれの用紙処理が、用紙処理装置３における異なる機能部にて実行される処理である場合、用紙処理装置３における複数の機能部間で異なる処理を並行して実行することが可能になる。これにより、画像形成装置２にて実行される画像形成処理の生産性が高い場合に、用紙処理装置３における用紙処理の生産性が低下するのを抑制することが可能になる。
【００６０】
一方、画像形成装置２にて実行される画像形成処理の生産性が低く、用紙処理装置３において第１電源１１０から供給される電力により用紙に対する処理が実行可能な場合には、用紙処理装置３の各機能部に対して第１電源１１０による電力を供給している。これにより、例えば画像形成装置２にて実行される画像形成処理の生産性が低い場合にも第２電源１２０から電力を供給するような場合と比較して、電力の利用効率の低下を抑制することが可能になる。
【００６１】
なお、本実施の形態の画像形成システム１では、例えば画像形成装置２の操作入力部５にて生産性情報が主制御部６から用紙処理制御部１００に出力されて、取得部１０１が生産性情報を取得した時点で、選択部１０２が各機能部に電力を供給する手段（第１電源１１０または第２電源１２０）を選択し、電力制御部１０４が選択部１０２の選択に応じて各機能部に電力を供給している。すなわち、本実施の形態の画像形成システム１では、用紙処理装置３にて処理を施す用紙が画像形成装置２から用紙処理装置３に搬入される前に、選択部１０２にて選択された電源（第１電源１１０または第２電源１２０）によって用紙処理装置３の各機能部に電力が供給できる状態となっている。
これにより、例えば用紙処理装置３に用紙が搬送された後に電源の選択や切替を行うような場合と比較して、例えば電源の選択や切替のために用紙の搬送を一旦停止させる必要性が少なくなり、本構成を採用しない場合と比較して、画像形成システム１にて実行される処理の生産性の低下を抑制することが可能になる。
【００６２】
本実施の形態では、上述したように、画像形成装置２にて実行される画像形成処理の生産性が予め定められた閾値以下である場合には、通常、用紙処理装置３の各機能部に電力を供給する手段として、第１電源１１０を選択している。
そして、画像形成装置２にて実行される画像形成処理の生産性が予め定められた閾値よりも大きい場合に、ステップ１０５において第２電源１２０を選択し、ステップ１０６にて電源を第２電源１２０に切り替え、ステップ１０６にて第２電源１２０から供給された電力を用いて用紙に対して処理を施した後に、ステップ１０７にて再び電源を第１電源１１０に切り替えている。
すなわち、本実施の形態の用紙処理装置３では、画像形成装置２にて実行される画像形成処理の生産性が予め定められた閾値が大きい場合に第２電源１２０から供給される電力を使用し、それ以外の状態では、用紙処理装置３の各機能部に対して第１電源１１０からの電力を供給する状態となっている。
【００６３】
しかし、例えば、上述のステップ１０７にて第２電源１２０から供給された電力を用いて用紙に対して処理を施した後、ステップ１０８を実行せずに、用紙処理装置３の各機能部に対して第２電源１２０からの電力が供給される状態を維持していてもよい。
この場合、例えば、続いて画像形成装置２の操作入力部５にて他の処理の実行が入力され、ステップ１０２にて画像形成装置２の生産性が予め定められた閾値以下であると判断され、ステップ１０３にて第１電源１１０が選択された際には、用紙に対して処理を実行する前に、電力制御部１０４の切替部１０５によって電源を第２電源１２０から第１電源１１０に切り替える制御を行えばよい。一方、ステップ１０２にて画像形成装置２の生産性が予め定められた閾値を越えると判断され、ステップ１０５にて選択部１０２により第２電源１２０が選択された際には、電源を切り替えることなく、第２電源１２０から出力される電力を用いて引き続き用紙に対して処理を実行することができる。
【００６４】
［実施の形態２］
続いて、本発明の実施の形態２について説明する。なお、実施の形態１と同様の構成については同様の符号を用い、詳細な説明を省略する。
実施の形態１では、取得部１０１が画像形成装置２の主制御部６から画像形成装置２の生産性に関する情報（生産性情報）を取得し、選択部１０２が画像形成装置２の生産性と記憶部１０３に記憶された予め定められた閾値とを比較することにより、用紙処理装置３の各機能部に電力を供給する手段として、第１電源１１０または第２電源１２０を選択する構成とした。
しかし、選択部１０２が第１電源１１０または第２電源１２０を選択する方法としてはこれに限られない。
【００６５】
例えば、画像形成装置２にて行われる画像処理の生産性に関する情報（生産性情報）の他に、画像形成装置２にて行われる画像形成処理の条件・内容に関する情報（画像形成内容情報）、画像形成装置２から用紙処理装置３に出力される用紙に関する情報（用紙の種類や厚さ）、画像形成装置２の機種に関する情報等、および、これらの組み合わせに基いて、第１電源１１０または第２電源１２０を選択してもよい。
【００６６】
＜電力区分テーブルについての説明＞
図６は、第１電源１１０または第２電源１２０を選択するためのテーブルであり、画像形成装置２にて実行される画像形成処理の生産性、画像形成装置２にて実行される画像形成処理の内容（両面印刷か、片面印刷か）、および画像形成装置２にて画像形成処理が施され用紙処理装置３に出力される用紙の厚さによって、第１電源１１０または第２電源１２０のいずれかを選択するかを区分したテーブルである。以下、このテーブルを電力区分テーブルと呼ぶ。
この例では、用紙処理制御部１００の記憶部１０３において、この電力区分テーブルを記憶している。そして、選択部１０２が記憶部１０３からこの電力区分テーブルを読み出し、取得部１０１にて取得した情報と電力区分テーブルとを用いて、第１電源１１０または第２電源１２０を選択している。
【００６７】
図６に示す電力区分テーブルは、画像形成装置２にて実行される画像形成処理の生産性が、用紙処理装置３に接続され得る画像形成装置２の機種や画像形成装置２の性能等に基いて、７５ｐｐｍ、８５ｐｐｍ、９５ｐｐｍおよび１０５ｐｐｍの４つに分類されている。
また、図６に示す電力区分テーブルでは、画像形成装置２から用紙処理装置３に出力される用紙の厚さが、薄い方から（１）〜９０ｇｓｍ、（２）９１ｇｓｍ〜１５０ｇｓｍ、（３）１５１ｇｓｍ〜２２０ｇｓｍ、（４）２２１ｇｓｍ〜３４９ｇｓｍ、（５）３５０ｇｓｍ〜の５種類に分類している。
さらに、図６に示す電力区分テーブルでは、（１）〜（５）に区分したそれぞれの厚さの用紙について、画像形成装置２にて実行される画像形成処理の内容（両面印刷か片面印刷か）によってさらに２種類の区分に分類している。
【００６８】
そして、電力区分テーブルは、画像形成装置２にて実行される画像形成処理の生産性と、画像形成装置２から用紙処理装置３に出力される用紙の厚さと、画像形成装置２にて実行される画像形成処理の内容とによって、区分Ａと区分Ｂとの２つの区分に分けられている。
区分Ａは、用紙処理装置３において用紙の搬送等に要する電力量が小さく、用紙処理装置３の各機能部において複数の用紙処理を並行して実行する場合であっても、第１電源１１０から供給される電力量で用紙に対する処理が実行可能な範囲である。また、区分Ｂは、用紙処理装置３において用紙の搬送等に要する電力量が大きく、第１電源１１０から供給される電力量では電力が不足して、用紙処理装置３の各機能部において複数の用紙処理を並行して実行することができない場合のある範囲である。
【００６９】
＜用紙処理制御部が実行する制御についての説明＞
続いて、画像形成システム１において印刷ジョブが実行され、用紙処理装置３において用紙処理動作が行われる際に、用紙処理制御部１００が電力区分テーブルを用いて第１電源１１０または第２電源１２０を選択する場合の制御について説明する。
図７は、実施の形態２が適用される用紙処理制御部１００が実行する制御について示したフローチャートである。
図７に示すように、画像形成装置２の操作入力部５を介して印刷ジョブの実行の指示がなされた場合には、まず、取得部１０１が画像形成装置２の主制御部６から出力された用紙に対して実行する処理に関する情報（処理情報）および画像形成装置２にて実行される画像形成処理に関する情報（画像形成情報）を取得する（ステップ２０１）。
この例では、取得部１０１は、処理情報として、用紙に対して施す処理の種類や、処理を施す用紙の厚さ等の情報を取得する。また、取得部１０１は、画像形成情報として、画像形成装置２にて実行される画像形成処理の生産性に関する情報（生産性情報）や、画像形成処理の内容に関する情報を取得する。本実施の形態では、画像形成処理の内容に関する情報として、画像形成処理が片面印刷か両面印刷かに関する情報を取得する。
【００７０】
続いて、選択部１０２は、記憶部１０３に記憶された電力区分テーブルを読み出し、ステップ２０１にて取得部１０１が取得した処理情報（処理を施す用紙の厚さに関する情報）および画像形成情報（生産性情報、画像形成処理の内容に関する情報）が属する区分を決定する（ステップ２０２）。
そして、選択部１０２は、処理情報および画像形成情報が属する区分が区分Ａである場合（ステップ２０２でＹＥＳ）には、各機能部に電力を供給する手段として第１電源１１０を選択する（ステップ２０３）。
次いで、処理指示部１０６が、取得部１０１が取得した処理情報に基づいて、用紙処理装置３の各機能部に処理を実行させる（ステップ２０４）。このとき、用紙処理装置３の各機能部にて用紙の搬送に要する電力および各機能部にて実行する処理に要する電力は、電力制御部１０４を介して第１電源１１０により供給する。なお、上述したように、本実施の形態では、通常、用紙処理装置３の各機能部に電力を供給する手段として第１電源１１０が設定されているため、電源を切り替える必要はない。
【００７１】
一方、ステップ２０２において、処理情報および画像形成情報が属する区分が区分Ｂである場合（ステップ２０２でＮＯ）には、各機能部に電力を供給する手段として第２電源１２０を選択する（ステップ２０５）。
続いて、電力制御部１０４の切替部１０５が、用紙処理装置３の各機能部に電力を供給する手段を、第１電源１１０から第２電源１２０へと切り替える（ステップ２０６）。
【００７２】
ステップ２０６にて用紙処理装置３の各機能部に電力を供給する手段が第２電源１２０へと切り替えられた後、続いて、処理指示部１０６が、取得部１０１が取得した処理情報に基づいて、各機能部に処理を実行させる（ステップ２０７）。このとき、用紙処理装置３の各機能部にて用紙の搬送に要する電力および各機能部にて実行する処理に要する電力は、電力制御部１０４を介して第２電源１２０により供給する。
ステップ２０７にて用紙に対する処理の実行が終了した後、続いて、電力制御部１０４の切替部１０５が、用紙処理装置３の各機能部に電力を供給する手段を、第２電源１２０から第１電源１１０へと切り替える（ステップ２０８）。
以上により、画像形成システム１にて実行される印刷ジョブに伴って、用紙処理装置３の用紙処理制御部１００が実行する制御が終了する。
【００７３】
以上説明したように、実施の形態２の用紙処理装置３では、主制御部６から入力された、処理を施す用紙に関する情報、画像形成装置２にて実行される画像形成処理の生産性に関する情報（生産性情報）および画像形成処理の内容に関する情報（画像形成内容情報）に基づいて、用紙処理装置３が備える各機能部において第１電源１１０から供給される電力では電力が不足するような場合に、用紙処理装置３の各機能部に電力を供給する手段を、第１電源１１０から第１電源１１０よりも大きな電源容量を有する第２電源１２０に切り替えている。
これにより、本構成を採用しない場合と比較して、用紙処理装置３の各機能部に供給する電力量を多くすることが可能になり、画像形成装置２にて実行される画像形成処理の生産性が高く、用紙処理装置３にて消費する電力が大きい場合であっても、用紙処理装置３の各機能部において用紙に対する処理を実行することが可能になる。
【００７４】
一方、画像形成装置２にて実行される画像形成処理の生産性が低く、用紙処理装置３において第１電源１１０から供給される電力により用紙に対する処理が実行可能な場合には、用紙処理装置３の各機能部に対して第１電源１１０による電力を供給している。これにより、例えば画像形成装置２にて実行される画像形成処理の生産性が低い場合にも第２電源１２０から電力を供給するような場合と比較して、電力の利用効率の低下を抑制することが可能になる。
【００７５】
本実施の形態の用紙処理装置３では、上述したように、用紙処理制御部１００が、画像形成装置２にて実行される画像形成処理の生産性に関する情報（生産性情報）に加えて、用紙の厚さに関する情報および画像形成処理の内容に関する情報に基づいて第１電源１１０または第２電源１２０を選択している。
【００７６】
ここで、上述したように、用紙の厚さが厚いほど用紙処理装置３において用紙の搬送に要する電力が大きくなる傾向があり、用紙の厚さによって用紙処理装置３において消費する電力量が変化する場合がある。
また、画像形成装置２にて実行される画像形成処理が両面印刷である場合と片面印刷である場合とでは、画像形成処理の生産性が同じ場合であっても、画像形成装置２から用紙処理装置３へ単位時間あたりに出力される用紙の枚数が異なる場合がある。具体的には、画像形成装置２にて実行される画像形成処理が両面印刷である場合には、片面印刷である場合と比較して、画像形成装置２から用紙処理装置３へ単位時間あたりに出力される用紙の枚数が少なく、用紙処理装置３にて搬送される用紙同士の間隔が広くなる。これにより、画像形成装置２にて実行される画像形成処理が両面印刷である場合には、片面印刷である場合と比較して、用紙処理装置３において用紙の搬送等に要する電力が少ない傾向がある。
【００７７】
したがって、本実施の形態における用紙処理装置３の用紙処理制御部１００では、生産性情報のみに基いて第１電源１１０または第２電源１２０を選択した場合と比較して、用紙処理装置３にて用紙処理等に要する電力量により対応した電源（第１電源１１０、第２電源１２０）を選択することが可能になる。これにより、本構成を採用しない場合と比較して、電力の利用効率の低下をより抑制することが可能になる。
【００７８】
なお、図６に示した電力区分テーブルでは、処理情報（処理を施す用紙の厚さに関する情報）および画像形成情報（生産性情報、画像形成処理の内容に関する情報）に基いて区分Ａと区分Ｂとを分けたが、区分Ａと区分Ｂとを分ける情報としてはこれに限られず、他の情報を選択することができる。例えば、用紙処理装置３に接続される画像形成装置２の機種に関する情報や画像形成装置２から出力される用紙の搬送速度に関する情報等の情報に対応させて区分Ａと区分Ｂとを分けてもよい。
【００７９】
本実施の形態では、記憶部１０３は、処理情報と画像形成情報と電力区分とを対応付けた電力区分テーブルを記憶するものとした。しかし、記憶部１０３は、例えば処理情報や画像形成情報等と電力区分とを対応付けて記憶していればよく、その形態はテーブルに限られない。
【００８０】
また、上述した実施の形態１および実施の形態２では、用紙処理制御部１００の取得部１０１が、生産性情報を取得し、選択部１０２が、取得した生産性情報に基づいて第１電源１１０または第２電源１２０を選択する構成とした。しかし、例えば用紙処理制御部１００の記憶部１０３に、画像形成装置２の機種に関する情報（機種情報）と、その機種の画像形成装置２が実行する画像形成処理の生産性とを対応付けて記憶しておき、取得部１０１が画像形成装置２から機種情報を取得し、選択部１０２が、記憶部１０３により記憶された機種情報と画像形成処理の生産性との対応に基いて、第１電源１１０または第２電源１２０を選択する構成としてもよい。
【００８１】
なお、上述した実施の形態１および実施の形態２では、第１電源１１０を綴じ製本装置５０に設け、第２電源１２０を折り装置３０に設けた。しかし、用紙処理装置３において第１電源１１０および第２電源１２０を設ける装置はこれに限られず、第１電源１１０と第２電源１２０とが、用紙処理装置３を構成する複数の装置のうち異なる装置に設けられればよい。
【００８２】
また、実施の形態１および実施の形態２の用紙処理装置３では、用紙処理制御部１００が綴じ製本装置５０内に設けられた構成を示したが、用紙処理制御部１００が用紙処理装置３を構成する綴じ製本装置５０以外の装置に設けられていてもよく、用紙処理制御部１００が画像形成装置２内に設けられていてもよい。また画像形成装置２にて画像形成システム１全体の動作を制御する主制御部６が、用紙処理制御部１００が有する一部または全部の制御機能を兼ね備えていてもよい。
【符号の説明】
【００８３】
１…画像形成システム、２…画像形成装置、３…用紙処理装置、４…画像形成部、５…操作入力部、６…主制御部、７…主電源、２０…搬送装置、３０…折り装置、４０…穿孔装置、５０…綴じ製本装置、６０…挿入装置、７０…仕分け装置、１００…用紙処理制御部、１０１…取得部、１０２…選択部、１０３…記憶部、１０４…電力制御部、１０５…切替部、１０６…処理指示部、１１０…第１電源、１２０…第２電源、２００…搬送機能部、３００…折り機能部、４００…穿孔機能部、５１０…端綴じ機能部、５２０…製本機能部、６００…挿入機能部、７００…仕分け機能部
【図１】
2014113711.tif 000003
【図２】
2014113711.tif 000004
【図３】
2014113711.tif 000005
【図４】
2014113711.tif 000006
【図５】
2014113711.tif 000007
【図６】
2014113711.tif 000008
【図７】
2014113711.tif 000009